(57)【要約】【課題】床等に孔をあける等の住宅改修を要せずに設置することができ、高齢者や身障者がスムーズにつかまることができる手すりを提供する。【解決手段】床面に敷設するマット部材１５から垂直方向に立設させた支柱部材２０の上端に、水平方向に延びる第１水平フレーム３１を取り付け、第１水平フレーム３１よりも上方位置で第１水平フレーム３１と略平行に延び、平面視で第１水平フレーム３１からオフセットした位置に第２水平フレーム３２を配設する。【選択図】図２
0003137496.tif 000002
【実用新案登録請求の範囲】
【請求項１】
身体を支えるための手すりであって、
床面に敷設するマット部材と、
前記マット部材から垂直方向に立設する支柱部材と、
前記支柱部材の上端に取り付けられ、水平方向に延びる第１水平部材と、
前記第１水平部材よりも上方位置で該第１水平部材と略平行に延び、平面視で該第１水平部材からオフセットした位置に配設された第２水平部材とを備えていることを特徴とする手すり。
【請求項２】
請求項１において、
前記第１水平部材及び第２水平部材を結ぶ仮想直線と該第１水平部材を通る仮想水平面とのなす角度は、３０度以上７５度以下であることを特徴とする手すり。
【請求項３】
請求項１又は２において、
前記第１水平部材の両端部に連続してそれぞれ上方に延びて前記第２水平部材の両端部にそれぞれ連結された連結部材を備え、
前記第１水平部材、前記第２水平部材、及び前記連結部材は、一体に形成されて環状部材を構成していることを特徴とする手すり。
【請求項４】
請求項１乃至３のうち何れか１項において、
前記第１水平部材及び第２水平部材の少なくとも一部は、軟質樹脂又はゴムで構成された被覆部材によって被覆されていることを特徴とする手すり。
【請求項５】
請求項１乃至４のうち何れか１項において、
前記被覆部材は、筒状の部材で構成され、
前記被覆部材の筒部内周面には、該筒部内周面から筒部内方に突出して長手方向に延び且つ周方向に等間隔に配置された複数のリブが設けられていることを特徴とする手すり。
【考案の詳細な説明】
【技術分野】
【０００１】
本考案は、身体を支えるための手すりに関するものである。
【背景技術】
【０００２】
一般に、家屋において玄関のフロアと土間との間には段差が設けられることが多いが、該段差が大きい場合には、高齢者や身障者にとっては段差を昇降することが困難になる。そこで従来より、このような段差の昇降を補助するための手すりを段差に対して設けることが行われており、特開平１０−１８３９２５号公報には、段差上段の床面にビス固定される手すりが開示されている。
【考案の開示】
【考案が解決しようとする課題】
【０００３】
しかしながら、従来の手すりは、ビス孔をあける必要があるために住宅改修費を要し、また賃貸住宅のように床にビス孔をあけることができない場合には使用することができない。
【０００４】
また、高齢者や身障者が従来の手すりを用いて立ち上がる場合には、高い位置にある手すり本体を握る前に、まず最初に手すり本体の下方に配設されている補強梁を握って体重をかけて若干起き上がり、その後、手すり本体につかまることが多いと考えられる。しかしながら、補強梁を握って起き上がる場合には、補強梁の真上に配設されている手すり本体に腕がぶつかる等、手すり本体が邪魔になるという問題があった。
【０００５】
本考案は、かかる点に鑑みてなされたものであり、その目的とするところは、床等に孔をあける等の住宅改修を要せずに設置することができ、高齢者や身障者がスムーズにつかまることができる手すりを提供することにある。
【課題を解決するための手段】
【０００６】
前記の課題を解決するために本考案の手すりは、次に示す構成を有している。
【０００７】
すなわち、第１の考案では、身体を支えるための手すりであって、床面に敷設するマット部材と、前記マット部材から垂直方向に立設する支柱部材と、前記支柱部材の上端に取り付けられ、水平方向に延びる第１水平部材と、前記第１水平部材よりも上方位置で該第１水平部材と略平行に延び、平面視で該第１水平部材からオフセットした位置に配設された第２水平部材とを備えている構成とする。
【０００８】
この構成によれば、玄関や台所などの設置場所にマット部材を敷設するだけで簡単に手すりを設置することができ、床等に孔をあける等の住宅改修を要せず、また設置場所を簡単に変更することができる。
【０００９】
さらに、第１水平部材と第２水平部材とを平面視でオフセットした位置に配設するようにしたから、高齢者や身障者が下側の第１水平部材を握って体重をかけて起き上がる際でも、上側の第２水平部材に腕がぶつかる等、第２水平部材が邪魔になることがなく、手すりにつかまってスムーズに立ち上がることができる。また、本考案の手すりは、立ち上がり時につかまる手すりと利用するだけではなく、台所で家事をする際には、第２水平部材にもたれかかることができ、身体への負担を軽減する上で有利となる。
【００１０】
第２の考案では、第１の考案において、前記第１水平部材及び第２水平部材を結ぶ仮想直線と該第１水平部材を通る仮想水平面とのなす角度は、３０度以上７５度以下である構成とする。
【００１１】
この構成によれば、前記第１の考案と同様、高齢者や身障者が下側の第１水平部材を握って体重をかけて起き上がる際でも、上側の第２水平部材に腕がぶつかる等、第２水平部材が邪魔になることがなく、手すりにつかまってスムーズに立ち上がることができる。
【００１２】
第３の考案では、第１又は第２の考案において、前記第１水平部材の両端部に連続してそれぞれ上方に延びて前記第２水平部材の両端部にそれぞれ連結された連結部材を備え、前記第１水平部材、前記第２水平部材、及び前記連結部材は、一体に形成されて環状部材を構成している。
【００１３】
この構成によれば、第１水平部材、第２水平部材、及び連結部材が一体に形成されているから、使用者が手すりにつかまったときに、第１水平部材及び第２水平部材がぐらつくことを最小限に抑えることができ、安定感のある握りやすい手すりを提供することができる。
【００１４】
第４の考案では、第１乃至第３のうち何れか１つの考案において、前記第１水平部材及び第２水平部材の少なくとも一部は、軟質樹脂又はゴムで構成された被覆部材によって被覆されている構成とする。
【００１５】
この構成によれば、使用者が第１水平部材及び第２水平部材を握った際に、軟質樹脂やゴムが指や手のひらに沿うように変形する。これにより、使用者の手が一層滑り難くなる。
【００１６】
第５の考案では、第１乃至第４のうち何れか１つの考案において、前記被覆部材は、筒状の部材で構成され、前記被覆部材の筒部内周面には、該筒部内周面から筒部内方に突出して長手方向に延び且つ周方向に等間隔に配置された複数のリブが設けられている構成とする。
【００１７】
この構成によれば、使用者が第１水平部材及び第２水平部材を握った際に、軟質樹脂やゴムが指や手のひらに沿うように変形し、使用者の手が一層滑り難くなるとともに、第１及び第２水平部材を握ったときの感触が良くなる。
【考案の効果】
【００１８】
本考案によれば、第１水平部材と第２水平部材とを平面視でオフセットした位置に配設するようにしたので、下側の第１水平部材を握って立ち上がる際に、上側の第２水平部材が邪魔になることがなく、手すりにつかまってスムーズに立ち上がることができる。
【考案を実施するための最良の形態】
【００１９】
以下、本考案の実施形態を図面に基づいて詳細に説明する。なお、以下の好ましい実施形態の説明は、本質的に例示に過ぎず、本考案、その適用物或いはその用途を制限することを意図するものではない。
【００２０】
図１は、本考案の実施形態に係る手すり１０の構成を示す正面図、図２は側面図、図３は平面図である。図１〜図３に示すように、この手すり１０は、高齢者や身障者の身体を支えるためのものであり、床面に敷設するマット部材１５と、マット部材１５から垂直方向に立設する支柱部材２０と、支柱部材２０の上端に取り付けられた環状の手すり本体３０（環状部材）とを備えている。
【００２１】
前記マット部材１５は、四隅のコーナー部が円弧状に面取りされた略矩形状の金属製の板状体で構成され、その表面にはサビ止めや滑り止めのための樹脂材が貼着されている。このマット部材１５の長手方向の一端（図３では右端）及び略中央位置には、支柱取付孔１６，１６，・・・（一端側は図示せず）が形成されている。具体的に、この支柱取付孔１６は、後述する支柱部材２０の下部フレーム２１のフランジ部２１ａに対応して該フランジ部２１ａの周方向に等間隔に４つ形成され、この４つの支柱取付孔１６の組が、マット部材１５の幅方向（図３では上下方向）に間隔をあけて設けられている。
【００２２】
なお、この４つの支柱取付孔１６，１６，・・・の組は、マット部材１５の長手方向の他端（図３では左端）にも設けるようにしてもよい。このようにすれば、マット部材１５の長手方向の両端にそれぞれ支柱部材２０を立設させることができ、より安定して使用者の身体を支えることができる。
【００２３】
前記支柱部材２０は、手すり本体３０を所定の高さ位置で支持するためのものであり、マット部材１５の幅方向に間隔をあけて２本配設されている。そして、この支柱部材２０は、下端にマット部材１５と当接するフランジ部２１ａを有してマット部材１５から垂直方向に立設した円筒状の下部フレーム２１と、下部フレーム２１のフランジ部２１ａを覆うカバー部２２と、下部フレーム２１の筒内径よりも小径で且つ下部フレーム２１の筒内に摺動自在に嵌合された上部フレーム２３と、上部フレーム２３を所定の高さ位置で固定する固定部２４と、上部フレーム２３の上端に設けられ手すり本体３０を狭持する狭持部２５とを備えている。
【００２４】
前記下部フレーム２１のフランジ部２１ａには、周方向に等間隔に貫通孔（図示せず）が４つ形成されて、このフランジ部２１ａの貫通孔をマット部材１５の支柱取付孔１６に対応させて締結ボルト（図示せず）でマット部材１５に締結することで、下部フレーム２１がマット部材１５に下部フレーム２１が取り付けられる。なお、図３に示す例では、支柱部材２０の下部フレーム２１はマット部材１５の長手方向の一端側の支柱取付孔（図示せず）に取り付けられている。また、図４に示す例では、支柱部材２０の下部フレーム２１はマット部材１５の略中央位置の支柱取付孔（図示せず）に取り付けられている。
【００２５】
前記カバー部２２は、下部フレーム２１の下端部及びフランジ部２１ａを覆うように形成され、下部フレーム２１をマット部材１５に取り付けた後、このカバー部２２を取り付けることで、フランジ部２１ａに締結させた締結ボルトが外側から見えないようになり、見栄えが良くなる。
【００２６】
前記上部フレーム２３の下端部は、下部フレーム２１の筒内に摺動自在に嵌合されており、上部フレーム２３を垂直方向に摺動させることで、手すり本体３０の高さ位置を自由に設定できるようになっている。
【００２７】
前記固定部２４は、上部フレーム２３を下部フレーム２１の筒内で摺動させた後、上部フレームをその位置で固定するためのものであり、例えば、固定部２４に設けられた図示しないネジ部を締め付けることで上部フレーム２３を押圧保持して固定できるようになっている。
【００２８】
前記狭持部２５は、手すり本体３０の第１水平フレーム３１（第１水平部材）の外周面に対応した内周面を有する上下に分割可能な半割状の２つの分割体を連結させて構成したものである。そして、狭持部２５をなす２つの分割体のうち１つは、上部フレーム２３の上端に筒部開口側が上方を向くように取り付けられている。また、この狭持部２５の分割体には、それぞれ半割開口側の縁にボルト孔２５ｂを有するフランジ２５ａが形成され、フランジ２５ａ，２５ａ同士が重ね合わされた状態でボルト孔２５ｂに通したボルト（図示せず）にナット（図示せず）が締結することで連結されている。このような狭持部２５によれば、ボルトとナットとの締結を解除して分割体を分離することにより、手すり本体３０と支柱部材２０との係合を解除でき、手すり本体３０を支柱部材２０に対して着脱自在に且つ手すり本体３０の保持角度を任意の角度に保った状態で狭持することができる。
【００２９】
前記手すり本体３０は、支柱部材２０の上端に取り付けられ水平方向に延びる第１水平フレーム３１と、第１水平フレーム３１よりも上方位置で第１水平フレーム３１と略平行に延び、平面視で第１水平フレーム３１からオフセットした位置に配設された第２水平フレーム３２と、第１水平フレーム３１の両端部に連続してそれぞれ上方に延び、第２水平フレーム３２の両端部にそれぞれ連結された連結フレーム３３，３３とを備えている。そして、これら第１水平フレーム３１、第２水平フレーム３２、及び連結フレーム３３，３３が一体に形成されて環状の手すり本体３０を構成している。
【００３０】
ここで、前記第２水平フレーム３２を平面視で第１水平フレーム３１からオフセットした位置に配設するためには、支柱部材２０の狭持部２５のボルトとナットとの締結を解除して分割体を分離又は分割体間に隙間を設けた状態とし、狭持部２５の分割体の筒部内で手すり本体３０を所定角度に傾斜、具体的には、第１水平フレーム３１及び第２水平フレーム３２を結ぶ仮想直線（図２では連結フレーム３３の中心軸に相当）と第１水平フレーム３１を通る仮想水平面とのなす角度が３０度以上７５度以下となるように傾斜させた後、再び狭持部２５で狭持するようにすればよい。このとき、手すり本体３０を所定角度に傾斜させた状態で図示しないボルトで固定することで、手すり本体３０が傾斜状態を保ったまま動かないようにしている。
【００３１】
このように、第１水平フレーム３１と第２水平フレーム３２とを平面視でオフセットした位置に配設すれば、使用者が下側の第１水平フレーム３１を握って体重をかけて起き上がる際でも、上側の第２水平フレーム３２が真上に配置されていないため、第２水平フレーム３２に腕がぶつかる等、第２水平フレーム３２が邪魔になることがなく、手すりにつかまってスムーズに立ち上がることができる。
【００３２】
また、第１水平フレーム３１、第２水平フレーム３２、及び連結フレーム３３が一体に形成されているから、使用者が手すりにつかまったときに、第１水平フレーム３１と第２水平フレーム３２とがぐらつくことを最小限に抑えることができ、安定感のある握りやすい手すり１０を提供することができる。
【００３３】
また、前記手すり本体３０の第１水平フレーム３１及び第２水平フレーム３２は、軟質樹脂又はゴム等で構成された被覆部材３１ａ，３２ａによって被覆されている。具体的に、図５に示すように、被覆部材３１ａ，３２ａの筒部内周面３１ｂ，３２ｂには、筒部内周面３１ｂ，３２ｂから筒部内方に突出して長手方向に延び且つ周方向に等間隔に配置されたリブ３５，３５，・・・が設けられている。図５に示す例では、リブ３５は周方向に８本設けられている。
【００３４】
これにより、使用者が第１水平フレーム３１及び第２水平フレーム３２を握った際に、軟質樹脂やゴムが指や手のひらに沿うように変形し、使用者の手が一層滑り難くなるとともに、第１及び第２水平フレーム３１，３２を握ったときの感触が良くなる。なお、手すり本体３０自体の材質としては、金属、木材、樹脂等のいずれであってもよい。
【００３５】
また、第１及び第２水平フレーム３１，３２を覆う軟質樹脂には、表面に凹凸が形成されてもよい。これにより、第１及び第２水平フレーム３１，３２を握る手がより一層滑りにくくなる。
【００３６】
なお、本実施形態では、第１及び水平フレーム３１，３２に軟質樹脂又はゴムを被覆した構成について説明したが、連結フレーム３３も滑り止めのために軟質樹脂又はゴムによって被覆され得て、その被覆部は、使用者により頻繁に握られる部分のみであり得る。
【００３７】
次に、前記のように構成された手すり１０を使用者が使用する場合について説明する。例えば、手すり１０を玄関に設置しておき、使用者が玄関で靴を履き替えた後に立ち上がろうとする場合には、まず、使用者は手すり本体３０の比較的高い位置にある第２水平フレーム３２を握る前に、下側の第１水平フレーム３１を握って体重をかけて若干起き上がる。このとき、使用者がマット部材１５に乗った状態で且つマット部材１５自体にも重量があるため、手すり本体３０がぐらつくことはない。
【００３８】
その後、反対の手で第２水平フレーム３２につかまりながら立ち上がる。本考案の手すり１０では、第１水平フレーム３１からオフセットした位置に第２水平フレーム３２を配設しているから、第１水平フレーム３１を握った方の腕が第２水平フレーム３２にぶつかることがなく、スムーズに立ち上がることができる。
【００３９】
以上のように、本考案の実施形態に係る手すり１０によれば、玄関などの設置場所にマット部材１５を敷設するだけで簡単に手すり１０を設置することができ、床等に孔をあける等の住宅改修を要せず、また設置場所を簡単に変更することができる。
【００４０】
さらに、第１水平フレーム３１と第２水平フレーム３２とを平面視でオフセットした位置に配設するようにしたから、高齢者や身障者が下側の第１水平フレーム３１を握って体重をかけて起き上がる際でも、上側の第２水平フレーム３２に腕がぶつかって邪魔になることがなく、手すりにつかまってスムーズに立ち上がることができる。
【００４１】
なお、本考案の手すり１０は、玄関の段差を昇降する際に使用するのみならず、段差のない廊下に設置して歩行用の補助手すりとして使用してもよい。さらに、立ち上がり時につかまる手すり１０と利用するだけではなく、台所で家事をする際には、第２水平フレーム３２にもたれかかることができる。このように、本発明の手すり１０を立位保持として利用する場合には、第２水平フレーム３２が第１水平フレーム３１よりも図４において右側にオフセットしているため、図４において右側から使用者が第２水平フレーム３２にもたれかかるようにすれば、支柱部材２０が使用者よりも後方に位置することとなり、支柱部材２０が使用者の足に当たったり、下部フレーム２１のフランジ部２１ａを使用者が踏みつけてしまうことがなく、座り心地が良くなる。
【産業上の利用可能性】
【００４２】
以上説明したように、本考案は、床等に孔をあける等の住宅改修を要せずに設置することができ、高齢者や身障者がスムーズにつかまることができる手すりを提供することができるという実用性の高い効果が得られることから、きわめて有用で産業上の利用可能性は高い。
【図面の簡単な説明】
【００４３】
【図１】本考案の実施形態に係る手すりの構成を示す正面図である。
【図２】本実施形態に係る手すりの構成を示す側面図である。
【図３】本実施形態に係る手すりの構成を示す平面図である。
【図４】マット部材における手すり本体の取付位置を変更したときの使用状態を示す側面図である。
【図５】第１及び第２水平フレームに被覆する被覆部材のリブの構成を示す断面図である。
【符号の説明】
【００４４】
１０    手すり
１５    マット部材
２０    支柱部材
３１    第１水平部材
３１ａ  被覆部材
３２    第２水平部材
３２ａ  被覆部材
３３    連結部材
３０    手すり本体（環状部材）
３５    リブ
【図１】
0003137496.tif 000003
【図２】
0003137496.tif 000004
【図３】
0003137496.tif 000005
【図４】
0003137496.tif 000006
【図５】
0003137496.tif 000007